(57)【要約】  本発明はメディアファイルの配信方法及び装置を開示する。ここで、該方法は、メディアファイルの目標配信量と実際配信量を取得することと、目標配信量と実際配信量とを比較して、比較結果を得ることと、比較結果に基づいて、メディアファイルとメディアファイルの配信対象との間の関連性を指示するメディアファイルの関連性パラメータを調整することと、関連性パラメータに基づいて決定される順番でメディアファイルを配信することと、を含む。本発明によると、既存技術においてメディアファイルを配信する際にメディアファイルの露出量を保証するためメディアファイルを関連性の低い配信対象に配信してしまう技術課題を解決できる。
2019503548.tif 000002
【特許請求の範囲】
【請求項１】
メディアファイルの目標配信量と実際配信量を取得することと、
前記目標配信量と前記実際配信量とを比較して、比較結果を得ることと、
前記比較結果に基づいて、前記メディアファイルと前記メディアファイルの配信対象との間の関連性を指示する前記メディアファイルの関連性パラメータを調整することと、
前記関連性パラメータに基づいて決定される順番で前記メディアファイルを配信することと、を含むメディアファイルの配信方法。
【請求項２】
前記比較結果に基づいて、前記メディアファイルの関連性パラメータを調整することが、
前記比較結果が前記実際配信量が前記目標配信量未満であることを指示する場合、前記関連性パラメータの値の増加することを含み、ここで、前記値を増加する前の前記関連性パラメータで決定される配信順番は、前記値を増加した後の前記関連性パラメータで決定される配信順番より遅い請求項１に記載の方法。
【請求項３】
前記比較結果に基づいて、前記メディアファイルの関連性パラメータを調整することが、
前記比較結果が前記実際配信量が前記目標配信量を超えることを指示する場合、前記関連性パラメータの値を減少することを含み、ここで、前記値を減少させる前の前記関連性パラメータで決定される配信順番は、前記値を減少させた後の前記関連性パラメータで決定される配信順番より早い請求項１に記載の方法。
【請求項４】
前記比較結果に基づいて、前記メディアファイルの関連性パラメータを調整することが、
前記配信制御パラメータの値を第１の所定の割合だけ増加又は減少するための前記比較結果に基づいて、配信制御パラメータを調整して、調整後の配信制御パラメータを得ることと、
前記関連性パラメータの値を第２の所定の割合だけ増加又は減少するための前記調整後の配信制御係数に基づいて、前記メディアファイルの関連性パラメータを調整することと、含む請求項１に記載の方法。
【請求項５】
下式で前記メディアファイルの関連性パラメータを調整する請求項４に記載の方法。
【数１】
2019503548.tif 000016
【請求項６】
前記メディアファイルの目標配信量と実際配信量を取得することが、所定の時間間隔で前記メディアファイルの目標配信量と実際配信量を取得することを含み、
前記目標配信量と前記実際配信量とを比較して、比較結果を得ることが、前記所定の時間間隔で前記目標配信量と前記実際配信量とを比較することを含み、
前記比較結果に基づいて前記メディアファイルの関連性パラメータを調整することが、前記所定の時間間隔で、前記比較結果に基づいて、前記メディアファイルの関連性パラメータを調整することを含む請求項１乃至５の中のいずれかに記載の方法。
【請求項７】
下式で前記メディアファイルの目標配信量を取得する請求項１乃至５の中のいずれかに記載の方法。
【数２】
2019503548.tif 000017
【請求項８】
メディアファイルの目標配信量と実際配信量を取得するように構成された取得手段と、
前記目標配信量と前記実際配信量とを比較して、比較結果を得るように構成された比較手段と、
記比較結果に基づいて、前記メディアファイルと前記メディアファイルの配信対象との間の関連性を指示する前記メディアファイルの関連性パラメータを調整するように構成された調整手段と、
前記関連性パラメータに基づいて決定される順番で前記メディアファイルを配信するように構成される配信手段と、を含むメディアファイルの配信装置。
【請求項９】
前記調整手段が、
前記比較結果が前記実際配信量が前記目標配信量未満であることを指示する時、前記関連性パラメータの値を増加するように構成された増加手段を含み、ここで、前記値を増加する前の前記関連性パラメータで決定される配信順番は、前記値を増加した後の前記関連性パラメータで決定される配信順番より遅い請求項８に記載の装置。
【請求項１０】
前記調整手段が、
前記比較結果が前記実際配信量が前記目標配信量を超えることを指示する時、前記関連性パラメータの値を減少するように構成された減少手段を含み、ここで、前記値を減少させる前の前記関連性パラメータで決定される配信順番は、前記値を減少させた後の前記関連性パラメータで決定される配信順番より早い請求項８に記載の装置。
【請求項１１】
前記調整手段が、
前記配信制御パラメータの値を第１の所定の割合だけ増加又は減少するための前記比較結果に基づいて、配信制御パラメータを調整して、調整後の配信制御パラメータを得るように構成された第１のサブ調整手段と、
前記関連性パラメータの値を第２の所定の割合だけ増加又は減少するための前記調整後の配信制御係数に基づいて、前記メディアファイルの関連性パラメータを調整するように構成された第２のサブ調整手段と、を含む請求項８に記載の装置。
【請求項１２】
下式で前記メディアファイルの関連性パラメータを調整する請求項１１に記載の装置。
【数３】
2019503548.tif 000018
【請求項１３】
前記取得手段が、所定の時間間隔で前記メディアファイルの目標配信量と実際配信量を取得するように構成された第１のサブ取得手段を含み、
前記比較手段が、前記所定の時間間隔で前記目標配信量と前記実際配信量とを比較するように構成された第１のサブ比較手段を含み、
前記調整手段が、前記所定の時間間隔で、前記比較結果に基づいて前記メディアファイルの関連性パラメータを調整するように構成された第３のサブ調整手段を含む請求項８乃至１２中のいずれかに記載の装置。
【請求項１４】
下式で前記メディアファイルの目標配信量を取得する請求項８乃至１２の中のいずれかに記載の装置。
【数４】
2019503548.tif 000019
【発明の詳細な説明】
【技術分野】
【０００１】
この出願は、２０１６年０６月０２日に中国特許局に出願された中国特許出願番号が２０１６１０３９０３０４．２で、発明名称が「メディアファイルの配信方法及び装置」である中国特許出願の優先権を主張し、その開示のすべてをここに取り込む。
【０００２】
本発明は、コンピュータ分野に関し、特に、メディアファイルの配信方法及び装置に関する。
【背景技術】
【０００３】
コンピュータ技術の高速発展に伴って、既存技術において配信対象にメディアファイルを配信することで配信するメディアファイルの露出量を増加する目的を実現している。例えば、アプリユーザへ該アプリケーションの広告を配信する。しかし、メディアファイルの露出量を保証するため、既存技術においてメディアファイルを配信する際に通常、メディアファイルの配信確率を調整する方式でメディアファイルの配信を制御していて、例えば、一つの広告の配信速度が速いと、該広告の配信確率を減少させる。しかし、このようなメディアファイルの配信確率を調整する方式によると、メディアファイルを関連性の低い配信対象に配信してしまう可能性がある。
【０００４】
上述した問題について、未だに有効な解決案を提示していない。
【発明の概要】
【発明が解決しようとする課題】
【０００５】
本発明の実施例によると、少なくとも既存技術においてメディアファイルを配信する際にメディアファイルの露出量を保証するためメディアファイルを関連性の低い配信対象に配信してしまう問題を解決できるメディアファイルの配信方法及び装置を提供する。
【課題を解決するための手段】
【０００６】
本発明の実施例の一態様によると、メディアファイルの目標配信量と実際配信量を取得することと、目標配信量と実際配信量とを比較して、比較結果を得ることと、比較結果に基づいて、メディアファイルとメディアファイルの配信対象との間の関連性を指示するメディアファイルの関連性パラメータを調整することと、関連性パラメータに基づいて決定された順番でメディアファイルを配信することと、を含むメディアファイルの配信方法を提供する。
【０００７】
本発明の実施例の他の一態様によると、メディアファイルの目標配信量と実際配信量を取得するための取得手段と、目標配信量と実際配信量とを比較して、比較結果を得るための比較手段と、比較結果に基づいて、メディアファイルとメディアファイルの配信対象との間の関連性を指示するメディアファイルの関連性パラメータを調整するための調整手段と、関連性パラメータに基づいて決定された順番でメディアファイルを配信するための配信手段と、を含むメディアファイルの配信装置を提供する。
【発明の効果】
【０００８】
本発明の実施例において、メディアファイルの目標配信量と実際配信量との比較結果に基づいてメディアファイルの関連性パラメータを調整し、該関連性パラメータに指示されたメディアファイルと配信対象との間の関連性に基づいてメディアファイルを配信することで、メディアファイルの露出量を保証しつつメディアファイルを関連性の高い配信対象に配信する目的を実現し、メディアファイルの配信精度を向上させ、メディアファイルの配信効率を向上させる技術効果を実現して、既存技術においてメディアファイルを配信する際にメディアファイルの露出量を保証するためメディアファイルを関連性の低い配信対象に配信してしまう技術課題を解決できる。
【図面の簡単な説明】
【０００９】
ここで説明する図面は本発明を一層理解させるためのもので、本願の一部を構成し、本発明に示す実施例及びその説明は本発明を解釈するもので、本発明を限定するものではない。
【図１】本発明の実施例に係るメディアファイルの配信方法のハードウェア環境を示す図である。
【図２】本発明の実施例に係る選択可能なメディアファイルの配信方法のフローチャートである。
【図３】本発明の好適な実施例に係るメディアファイルの配信方法の全体構成を示す図である。
【図４】本発明の好適な実施例に係る広告配信処理のフローチャートである。
【図５】本発明の実施例に係る選択可能なメディアファイルの配信装置を示す図である。
【図６】本発明の実施例に係る他の選択可能なメディアファイルの配信装置を示す図である。
【図７】本発明の実施例に係る他の選択可能なメディアファイルの配信装置を示す図である。
【図８】本発明の実施例に係る他の選択可能なメディアファイルの配信装置を示す図である。
【図９】本発明の実施例に係る端末の構造を示すブロック図である。
【発明を実施するための形態】
【００１０】
当業者が本発明の技術案を一層簡単に理解するように、以下、本発明の実施例中の図面を結合して、本発明の実施例の技術案を明確且つ完全に説明するが、ここで説明する実施例が本発明の実施例の全部ではなく一部であることは言うまでもない。本発明の実施例に基づいて、当業者が創造性のある行為を必要とせずに得られる他の実施例はすべて本発明の保護範囲に含まれる。
【００１１】
尚、本発明の明細書及び特許請求の範囲と図面に用いられた「第１」、「第２」等の用語は類似する対象を区別するためのもので、特定の順又は前後順を限定するものではない。ここで説明する本発明の実施例を図面に示す又は説明した順と異なる順でも実現できるように、このように使用される数値は適切な状況において交換可能である。そして、「含む」、「有する」及びそれらの変形用語は、非排他的に含むことをカバーするもので、例えば、一連のステップ又はユニットを含むプロセス、方法、システム、製品又は機器が明確に例示されたステップ又はユニットに限定されず、明確に例示されていない又はこれらのプロセス、方法、製品又は機器固有の他のステップ又はユニットも含むことを表す。
【００１２】
実施例１
本発明の実施例によると、メディアファイルの配信方法の方法実施例を提供する。
【００１３】
本実施例において、上記メディアファイルの配信方法を図１に示すサーバ１０２と端末１０４からなるハードウェア環境に応用することができる。図１に示すように、サーバ１０２はネットワークを介して端末１０４に接続され、上記ネットワークは広域ネットワーク、メトロポリタンエリアネットワーク又はローカルネットワークを含むがこれに限定されることはなく、端末１０４はＰＣ、携帯電話、タブレットＰＣ等に限定されない。本発明の実施例のメディアファイルの配信方法をサーバ１０２によって実行することができ、端末１０４によって実行することもでき、サーバ１０２と端末１０４とが協同して実行することもできる。ここで、端末１０４により本発明の実施例のメディアファイルの配信方法を実行する場合、それに設置されたクライアントによって実行することもできる。
【００１４】
図２は本発明の実施例に係る選択可能なメディアファイルの配信方法のフローチャートで、図２に示すように、該方法はステップＳ２０２〜ステップＳ２０８を含む。
【００１５】
ステップＳ２０２において、メディアファイルの目標配信量と実際配信量を取得する。
【００１６】
ステップＳ２０４において、目標配信量と実際配信量とを比較して、比較結果を得る。
【００１７】
ステップＳ２０６において、比較結果に基づいて、メディアファイルの関連性パラメータを調整し、ここで、関連性パラメータはメディアファイルとメディアファイルの配信対象との間の関連性を指示する。
【００１８】
ステップＳ２０８において、メディアファイルを配信し、ここで、メディアファイルの配信順番は関連性パラメータに基づいて決定される。
【００１９】
上記ステップＳ２０２乃至ステップＳ２０８によって、メディアファイルの目標配信量と実際配信量との比較結果に基づいてメディアファイルの関連性パラメータを調整し、該関連性パラメータに指示されたメディアファイルと配信対象との間の関連性に基づいてメディアファイルを配信することで、既存技術においてメディアファイルを配信する際にメディアファイルの露出量を保証するためメディアファイルを関連性の低い配信対象に配信してしまう技術課題を解決し、メディアファイルの配信精度を向上させ、メディアファイルの配信効率を向上させる技術効果を実現できる。
【００２０】
ステップＳ２０２で提供する技術案において、本発明の実施例はメディアファイルのタイプを具体的に限定せず、メディアファイルはビデオファイル、音声ファイル、写真ファイル又はテキストファイル等であることができ、このようなファイルの任意の組み合せであることもでき、例えばテキストファイルと写真ファイルとの組み合せ、ビデオファイルとテキストファイルとの組み合せであることができる。具体的な製品形態は、例えばビデオ広告、ネイティブ広告、ｂａｎｎｅｒ広告、検索広告等であることができる。メディアファイルが配信対象のファイルであることができ、メディアファイルの目標配信量は配信対象と事前に相談した配信すべきメディアファイルの数量であって、メディアファイルの実際配信量は配信対象へ実際に配信したメディアファイルの数量であって、ここで、メディアファイルの配信対象はＷｅｂユーザー、アプリユーザ等であることができ、本発明の実施例においてメディアファイルの配信対象のタイプを限定しない。
【００２１】
尚、メディアファイルの目標配信量と実際配信量を取得するとは、配信開始時間から現在時間までのメディアファイルの目標配信量と実際配信量を取得することを言う。ここで、現在時間までのメディアファイルの実際配信量をカウンターで記録し、メディアファイルを配信するたびに、カウンターを１増やすことができ、現在時間までのメディアファイルの実際配信量がカウンターの計数値である。尚、上記現在時間までのメディアファイルの実際配信量を取得する方式は、本発明の実施例の選択可能な実施例で、本発明の実施例において他の方式で現在時間までのメディアファイルの実際配信量を取得することもでき、ここではこれ以上の例の説明を省略する。
【００２２】
選択可能な実施例として、現在時間までのメディアファイルの目標配信量をメディアファイルの露出機会曲線に基づいて決定することができ、尚、露出機会曲線はユーザがオンラインで要求したメディアファイルの時間分布を統計した数量である。メディアファイルスケジューリングシステムがメディアファイルスケジューリング情報を提供し、メディアファイルスケジューリング情報は、メディアファイルの配信開始時間、メディアファイルの配信終了時間、各時間スケールに対応するメディアファイルの配信量を含むことができる。メディアファイルの露出機会曲線に基づいて、下式に従って、現在時間までのメディアファイルの目標配信量を算出することができる。
【００２３】
【数１】
2019503548.tif 000003
【００２４】
尚、上記現在時間までのメディアファイルの目標配信量を取得する方式は本発明の実施例の一選択可能な実施例にすぎない。本発明の実施例において、他の方式で現在時間までのメディアファイルの目標配信量を取得することもでき、ここではこれ以上の例の説明を省略する。該選択可能な実施例においてメディアファイルの露出機会曲線を用いて現在時間までのメディアファイルの目標配信量を取得し、他の取得方式に比べ、ユーザの引き出しによって取得した露出機会曲線を依拠とすることが比較的に簡単であって、且つ露出機会曲線がメディアファイルの配信プロセスを正確に反映できるので、露出機会曲線を用いて現在時間までのメディアファイルの目標配信量を取得すると比較的に簡単であって、且つ取得した目標配信量の正確度を保証できる。
【００２５】
本発明の実施例においてメディアファイルの目標配信量と実際配信量の取得方式を具体的に限定せず、現在時間までのメディアファイルの目標配信量と実際配信量を取得できる変形方式や入れ替え方式はいずれも本発明の保護範囲に含まれる。
【００２６】
ステップＳ２０４で提供する技術案において、ステップＳ２０２において現在時間までのメディアファイルの目標配信量と実際配信量を取得した後、本発明の実施例は、取得した目標配信量と実際配信量を比較し、目標配信量と実際配信量との大きさ関係を比較して、比較結果を得ることができる。尚、目標配信量と実際配信量とを比較して得た比較結果は、実際配信量が目標配信量未満であること、実際配信量が目標配信量を超えること、実際配信量が目標配信量に等しいことを含むことができる。上記３種類の状況によってメディアファイルの配信速度を反映することができ、具体的に、実際配信量が目標配信量未満である時、メディアファイルの配信速度が遅いことを指す。実際配信量が目標配信量を超える時、メディアファイルの配信速度が速いことを指す。実際配信量が目標配信量に等しい時、メディアファイルの配信速度が適切で、当該配信速度で該メディアファイルを配信すると配信開始時間から配信終了時間までの時間区間内で事前に相談したメディアファイル配信すべき総量を完成できることを指す。実際配信量と目標配信量とを比較することで、比較結果に基づいてメディアファイルの配信速度を制御できる目的を実現することができる。
【００２７】
目標配信量と実際配信量とを比較して得た比較結果は実際配信量と目標配信量との間の差異を含むこともでき、即ち、実際配信量が目標配信量未満である時は、実際配信量が目標配信量より少ない数値、実際配信量が目標配信量を超える時は、実際配信量が目標配信量を超える数値を含むこともできる。実際配信量と目標配信量との間の差異を比較することで、メディアファイルの配信速度を一層正確に調整する目的を実現できる。
【００２８】
ステップＳ２０６で提供する技術案において、メディアファイルの目標配信量と実際配信量とを比較して得た比較結果は、メディアファイルとメディアファイルの配信対象との間の関連性に影響を与え、メディアファイルとメディアファイルの配信対象との間の関連性はメディアファイルの関連性パラメータによって直接に反映でき、メディアファイルの関連性パラメータが大きいほど、該メディアファイルと配信対象との間の関連性が高く、メディアファイルの関連性パラメータが小さいほど、該メディアファイルと配信対象との間の関連性が低いことを指す。尚、複数の異なるメディアファイルと同一の配信対象との間の関連性は異なることができ、同一のメディアファイルと異なる配信対象との間の関連性が異なることができる。メディアファイルとメディアファイルの配信対象との間の関連性がメディアファイルの配信順番に影響を与え、配信対象との関連性が高いメディアファイルの配信順番が、配信対象との関連性が低いメディアファイルの配信順番より優先度が高い。尚、同一の配信対象に同一のメディアファイルを配信することができ、配信回数は実際の応用状況に応じて設定され、また複数の異なるメディアファイルを配信し、且つこれらのメディアファイルと該配信対象との間の関連性は異なることもでき、つまり、これらのメディアファイルの関連性パラメータが異なると、対応して、これらのメディアファイルが該配信対象に配信される配信順番の優先度が異なる。
【００２９】
例えば、配信対象がユーザＡで、ユーザＡに配信するメディアファイルがそれぞれ広告１、広告２、広告３で、上記広告とユーザＡとの間の関連性の高い順が、広告１、広告２、広告３であると、対応して、ユーザＡに広告を配信する配信順番の優先度の高い順である広告１、広告２、広告３である。
【００３０】
メディアファイルの実際配信量と目標配信量との間の比較結果は、該メディアファイルと配信対象との間の関連性を反映することができる。具体的に、メディアファイルの実際配信量が目標配信量未満である時、該メディアファイルが配信対象による露出を得られると、該メディアファイルと配信対象との間の関連性が高いことを指す。メディアファイルの実際配信量が目標配信量を超える時、該メディアファイルが配信対象による露出を得られないと、該メディアファイルと配信対象との間の関連性が低いことを指す。
【００３１】
本発明の実施例において、メディアファイルの目標配信量と実際配信量の比較結果に基づいて該メディアファイルの関連性パラメータを調整することで、該メディアファイルと配信対象との間の関連性を調整して、該メディアファイルの配信順番を調整する目的を実現できる。
【００３２】
選択可能な実施例として、ステップＳ２０６において比較結果に基づいて、メディアファイルの関連性パラメータを調整することが、ステップＳ２０６１、ステップＳ２０６３を含むことができる。
【００３３】
ステップＳ２０６１において、比較結果が実際配信量が目標配信量未満であることを指示する時、関連性パラメータの値を増加し、ここで、値を増加する前の関連性パラメータで決定される配信順番は、値を増加した後の関連性パラメータで決定される配信順番より遅い。
【００３４】
ステップＳ２０６３において、比較結果が実際配信量が目標配信量を超えることを指示する時、関連性パラメータの値を減少し、ここで、値を減少させる前の関連性パラメータで決定される配信順番は、値を減少させた後の関連性パラメータで決定される配信順番より早い。
【００３５】
尚、メディアファイルの目標配信量と実際配信量とを比較して得た比較結果は、実際配信量が目標配信量未満又は超える状況を含むことができ、実際配信量が目標配信量未満である（例えば、実際配信量が目標配信量より第１の所定の閾値少ない）時、本発明の実施例よると、該メディアファイルと配信対象との間の関連性を高めて、該メディアファイルの配信可能性を向上させることができ、つまり、該メディアファイルと配信対象との間の関連性が高いと、該メディアファイルを優先して配信しなければならなく、この時、本発明の実施例によると、メディアファイルの関連性パラメータの値を増加して該メディアファイルの配信順番の優先度を向上させて、該メディアファイルの関連性パラメータの値が増加された後に指示した関連性に対応する配信順番を、増加される前の関連性に対応する配信順番より早くする。実際配信量が目標配信量を超える（例えば、実際配信量が目標配信量より第２の所定の閾値多い、ここで、上記第１の所定の閾値と第２の所定の閾値はいずれも０より大きく、第１の所定の閾値と第２の所定の閾値は同じであることができれば異なることもできる）時、該メディアファイルが配信対象によって露出されないことを指し、つまり、該メディアファイルと配信対象との間の関連性が低く、該メディアファイルを後ろの順番に配置して配信しなければならなく、この時、本発明の実施例によると、メディアファイルの関連性パラメータの値を減少させることで、該メディアファイルの配信順番の優先度を低減させて、該メディアファイルの関連性パラメータの値が減少された後に指示した関連性に対応する配信順番を、減少される前の関連性に対応する配信順番より遅くする。尚、本発明の実施例において、第１の所定の閾値と第２の所定の閾値を具体的に限定せず、第１の所定の閾値と第２の所定の閾値を実際の需要に応じて設定することができる。尚、メディアファイルの実際配信量が目標配信量未満である差異と実際配信量が目標配信量を超える差異は同じであることができ、異なることもでき、ここでは具体的に限定しない。
【００３６】
本発明の実施例において、メディアファイルの実際配信量と目標配信量との間の比較結果に基づいて、該メディアファイルの関連性パラメータの値を調整することで、メディアファイルの配信順番を調整する目的を実現し、配信対象との関連性の高いメディアファイルを優先して配信し、配信対象との関連性の低いメディアファイルを後で配信して、メディアファイル露出率を向上させ、メディアファイル配信の効率を向上させる効果を実現できる。
【００３７】
ステップＳ２０８で提供する技術案において、メディアファイルの関連性パラメータは、メディアファイルと配信対象との間の関連性を指示することができ、本発明の実施例において、好適に、配信対象との関連性の高いメディアファイルの配信順番を繰り上げ、配信対象との関連性の低いメディアファイルの配信順番を延期し、調整後の配信順番に従ってメディアファイルを配信する。尚、一つの配信対象に配信されるメディアファイルは一つであることができれば、複数であることもでき、一つの配信対象に複数のメディアファイルを配信する時、関連性パラメータ値の大きいメディアファイルを優先した配信するように、これらのメディアファイルの関連性パラメータの値の大きさに基づいてこれらのメディアファイルの配信順番を調整して、配信対象によるメディアファイルの露出率を向上させ、メディアファイル配信の効率を向上させる。
【００３８】
本発明の実施例において、メディアファイルの関連性パラメータに指示された関連性に対応する配信順番で、配信対象へメディアファイルを配信する時、配信対象のタイプに応じて、配信方式を選択することもでき、ここで、本発明の実施例において配信対象のタイプを具体的に限定せず、Ｗｅｂユーザーであることができれば、アプリユーザ等であることもできる。本発明の実施例において、配信対象へメディアファイルを配信する配信方式も具体的に限定せず、ポップウィンドウ形式でメディアファイルを自動に表示する方式であることができれば、メッセージ提示形式でユーザに配信したメディアファイルを見るように通知する方式であることもでき、アプリケーションが作動される時に配信したメディアファイルを挿入して表示する等の方式であることもでき、メディアファイルの配信方式をメディアファイルのタイプ、配信対象のタイプ、配信対象が位置する端末のタイプ等の条件に基づいて設定したり調整したりすることができ、ここではこれ以上の例の説明を省略する。
【００３９】
選択可能な実施例として、ステップＳ２０６において比較結果に基づいて、メディアファイルの関連性パラメータを調整することが、ステップＳ２０６２、ステップＳ２０６４を含むことができる。
【００４０】
ステップＳ２０６２において、比較結果に基づいて、配信制御パラメータを調整して、調整後の配信制御パラメータを得て、ここで、比較結果は、配信制御パラメータの値を第１の所定の割合だけ増加又は減少させるに用いられる。
【００４１】
ステップＳ２０６２で提供する技術案において、配信制御パラメータはメディアファイルの配信速度を指示することができ、ここで、配信制御パラメータの値をメディアファイルの実際配信量と目標配信量との間の比較結果に基づいて調整することができ、具体的に、メディアファイルの実際配信量が目標配信量未満である時、この時のメディアファイルの配信速度が遅いことを指し、配信制御パラメータの値を増加しなければならない。メディアファイルの実際配信量が目標配信量を超える時、この時のメディアファイルの配信速度が早いことを指し、配信制御パラメータの値を減少させる必要がある。配信制御パラメータの値を増加又は減少する程度を、メディアファイルの実際配信量と目標配信量との間の差異に基づいて決定することができ、本発明の実施例において、配信制御パラメータの値を第１の所定の割合だけ増加又は減少し、第１の所定の割合の大きさはメディアファイルの実際配信量と目標配信量との間の差異に基づいて決定することができ、例えば第１の所定の割合は０．５％であることができる。尚、配信制御パラメータの値の増加や減少の割合はいずれも第１の所定の割合と同じであることができ、異なることもでき、配信制御パラメータの値の増加や減少の割合は実際の状況に応じて具体的に設定することができ、本発明の実施例において具体的に限定しない。
【００４２】
ステップＳ２０６４において、調整後の配信制御係数に基づいて、メディアファイルの関連性パラメータを調整し、ここで、調整後の配信制御係数は、関連性パラメータの値を第２の所定の割合だけ増加又は減少するに用いられる。
【００４３】
ステップＳ２０６４で提供する技術案において、本発明において、調整後の配信制御パラメータに基づいてメディアファイルの関連性パラメータを調整することができ、配信制御システムが第１の所定の割合だけ増加する時、メディアファイルの関連性パラメータの値も対応して第２の所定の割合だけ増加される。配信制御システムが第１の所定の割合だけ減少する時、メディアファイルの関連性パラメータの値も対応して第２の所定の割合だけ減少する。尚、第１の所定の割合と第２の所定の割合は同じであることができれば異なることもでき、本発明の実施例において第２の所定の割合を具体的に限定せず、実際の状況に応じて設定又は調整することができる。
【００４４】
尚、メディアファイルの実際配信量が目標配信量未満である時、メディアファイルの配信速度が遅く、該メディアファイルは配信対象によって露出される可能性があって、該メディアファイルと配信対象との間の関連性が高いことを指し、この時、配信制御パラメータの値を増加する必要があって、増加する割合は第１の所定の割合であることができ、これによりメディアファイルの関連性パラメータの値を増加し、増加した割合は第２の所定の割合であることができ、これにより、該メディアファイルが該配信対象に優先に配信されるように保証して、該メディアファイルの効率を向上させる。反対に、メディアファイルの実際配信量が目標配信量を超える時、メディアファイルの配信速度が早く、該メディアファイルが配信対象によって露出される可能性がなく、該メディアファイルと配信対象との間の関連性が低いことを指し、この時、配信制御パラメータの値を減少する必要があって、減少する割合は第１の所定の割合であることができ、これによりメディアファイルの関連性パラメータの値を減少し、減少する割合は第２の所定の割合であることができ、これいより該配信対象との関連性の低いメディアファイルの配信順番を延期し、配信順番が前にあって配信対象との関連性の高いメディアファイルを優先して配信するように保証し、該メディアファイルの効率を向上させる目的を実現できる。
【００４５】
選択可能な実施例として、メディアファイルの関連性パラメータを、下式で調整することができる：
【数２】
2019503548.tif 000004
【００４６】
尚、上記パラメータの値はいずれも本発明における一選択可能な実施例にすぎず、上記パラメータの値を状況に応じて調整することができ、ここではこれ以上の例の説明を省略する。メディアファイルの実際配信量が目標配信量未満である（例えば、実際配信量が目標配信量より１の所定の閾値少ない）時、
【数３】
2019503548.tif 000005
【００４７】
尚、上記メディアファイルの関連性パラメータの計算方式は本発明の一選択可能な実施例にすぎず、本発明の実施例において他の方式でメディアファイルの関連性パラメータを計算することもでき、ここではこれ以上の例の説明を省略する。該選択可能な実施例において、メディアファイルの関連性パラメータを計算することで、該関連性パラメータに基づいてメディアファイルの配信順番の優先度を調整して、配信対象との関連性の高いメディアファイルを優先して配信し、マルチメディアの露出量を向上させ、メディアファイルの配信の効率を向上させる効果を実現できる。
【００４８】
選択可能な実施例として、ステップＳ２０２においてメディアファイルの目標配信量と実際配信量を取得することがステップＳ２０２２を含むことができ、ステップＳ２０２２において、所定の時間間隔でメディアファイルの目標配信量と実際配信量を取得する。ステップＳ２０４において目標配信量と実際配信量とを比較して、比較結果を得ることがステップＳ２０４２を含むことができ、ステップＳ２０４２において、所定の時間間隔で目標配信量と実際配信量とを比較する。ステップＳ２０６において比較結果に基づいて、メディアファイルの関連性パラメータを調整することがステップＳ２０６２を含み、ステップＳ２０６２において、所定の時間間隔で、比較結果に基づいてメディアファイルの関連性パラメータを調整する。
【００４９】
尚、該選択可能な実施例における所定の時間は実際の状況に応じて設定又は調整することができ、所定の時間は１分、３０秒等であることができ、ここでは具体的に限定しない。該選択可能な実施例のメディアファイルの配信方法によると、所定の時間間隔で上記ステップを行うことで、所定の時間間隔でメディアファイルの関連性パラメータを調整する目的を実現し、メディアファイルの関連性パラメータの正確性を向上させ、メディアファイルの配信順番を調整する精度を向上させる効果を実現できる。
【００５０】
本発明において好適な実施例を提供し、好適な実施例におけるメディアファイルが契約広告である例を説明する。
【００５１】
図３は本発明の好適な実施例に係るメディアファイルの配信方法の全体構成を示す図で、図３に示すように、広告オンライン記憶システムは、スケジューリングシステムから各契約広告の毎日の広告スケジューリング情報を取得することができ、完成すべき露出量である配信量を含み、重み調整手段が広告オンライン記憶システムから該広告のスケジューリング情報を取得することができ、各広告の毎日の完成すべき露出量及び今まで既に消費した露出量である今までの実際配信量を含むことができ、同時に、重み調整手段が機会曲線オンライン記憶システムから当該契約広告の露出機会曲線を取得し、重み調整手段が契約広告の露出機会曲線と、該契約広告の毎日完成すべき露出量と、今まで既に消費した露出量とから、広告配列指標ｓｃｏｒｅ（ｕ、ａｄ）を影響する重み調整係数αを算出し、つまり、本発明の上記実施例中の配信制御パラメータαを算出し、また重み調整係数αを広告オンライン記憶システムに送信して記憶させる。入札配列手段が、広告オンライン記憶システムからリアルタイムに重み調整係数αを読み取って、広告配列指標ｓｃｏｒｅ（ｕ、ａｄ）を調整し、調整方式は、ｓｃｏｒｅ（ｕ、ａｄ）＝ｓｃｏｒｅ（ｕ、ａｄ）×αであることができる。
【００５２】
ここで、広告の露出機会曲線は、１週間内に異なる都市での毎日の露出分布を統計することができる。各機会曲線を時系列方式で示すことができ、１分を粒度とし、毎日合計１４４０個の露出量点がある。広告の露出機会曲線は機会曲線オンライン記憶システムに記憶され、時間次元機会曲線を例にすると、ｋｅｙ値は{「Ｍｏｎ」,「Ｔｕｅ」,「Ｗｅｄ」,「Ｔｈｕ」,「Ｆｒｉ」,「Ｓａｔ」,「Ｓｕｎ」}＋「ＯｐｐＣｕｒｖｅ」であることができ、Ｖａｌｕｅは時系列値であることができる。広告の露出機会曲線はルーチン的に生成されることができ、最近の一ヶ月の露出に基づいて、毎日の更新を統計し、重み調整手段が機会曲線オンライン記憶システムから広告の露出機会曲線を読み取ることができる。広告の露出機会曲線は、複数の次元に応じて細分することができ、例えば１週間内の何日目、都市、ユーザ年齢区間、ユーザ性別、ユーザ興味等の単一の次元で細分したり、又は多次元の組み合せで細分することができる。
【００５３】
重み調整手段による入力データは、広告オンライン記憶から取得した広告スケジューリング情報及び広告の露出機会曲線を含むことができ、ここで、具体的に、露出開始時間ｔ＿ｓｔａｒｔ、露出停止時間ｔ＿ｅｎｄ、必要な露出量ｅｘｐｏ＿ｎｕｍを含むことができる。同時に、該重み調整手段はさらに、露出開始時間ｔ＿ｓｔａｒｔから現在時間ｔ＿ｃｕｒｒまでの実際の露出量ｃｕｒｒ＿ｅｘｐｏを記録することもできる。
【００５４】
図４は本発明の好適な実施例に係る広告配信の処理フローチャートで、図４に示すように、該重み調整手段の処理プロセスはステップＳ４０２〜ステップＳ４０８を含む。
【００５５】
ステップＳ４０２において、広告の露出機会曲線に基づいて、ｔ＿ｓｔａｒｔからｔ＿ｃｕｒｒまでの目標露出量ｐａｃｅｄ＿ｅｘｐｏを算出し、具体的な計算式は、
【数４】
2019503548.tif 000006
【００５６】
ステップＳ４０４において、広告の配信速度の早さを判断する。
【００５７】
ｃｕｒｒ＿ｅｘｐｏ ＜ ｐａｃｅｄ＿ｅｘｐｏ×ｕｎｄｅｒ＿ｄｅｌｉｖｅｒｙ＿ｃｏｅｆｆであると、該広告の配信が遅く、即ち、ｕｎｄｅｒｄｅｌｉｖｅｒｙである。ｃｕｒｒ＿ｅｘｐｏ ＞ ｐａｃｅｄ＿ｅｘｐｏ×ｏｖｅｒ＿ｄｅｌｉｖｅｒｙ＿ｃｏｅｆｆであると、該広告の配信が早く、即ち、ｏｖｅｒｄｅｌｉｖｅｒｙである。ここで、ｕｎｄｅｒ＿ｄｅｌｉｖｅｒｙ＿ｃｏｅｆｆの値は１に近いが１未満の実数であって、例えば０．９５であって、ｏｖｅｒ＿ｄｅｌｉｖｅｒｙ＿ｃｏｅｆｆの値は１に近いが１を超える実数で、例えば１．０５である。
【００５８】
ステップＳ４０６において、広告の配信速度の早さに基づいて、重み調整係数αを調整し、ここで、重み調整係数αを下式で調整することができる：
【数５】
2019503548.tif 000007
【００５９】
ステップＳ４０８において、入札配列手段が、重み調整係数αに基づいて、広告のスコアを調整し、ここで、広告のスコアが本発明の上記実施例におけるメディアファイルの関連性パラメータであって、具体的に下式に従って調整する：
【数６】
2019503548.tif 000008
【００６０】
該好適な実施例の広告配信中の契約広告の露出量の保証問題を、スケジューリングシステムと重み調整手段とが協同して実現する。スケジューリングシステムが各契約広告の毎日の露出すべき量を提供し、重み調整手段が広告の露出機会曲線によって広告の現在の配信速度の早さを判断する。重み調整手段が契約広告のスコアｓｃｏｒｅを対応して増加又は減少する調整を行うことで、広告の配信速度を制御する。具体的に、重み調整手段が、広告に基づいて実際配信量と露出機会曲線から計算した現在の目標配信量とをリアルタイムに比較して、重み調整係数αを算出し、広告スコアｓｃｏｒｅを重み調整係数αの値に基づいて調整する。
【００６１】
本発明の好適な実施例によると、重み調整方式で契約広告の露出量を保証し、既存の契約広告露出量保証方式に比べ、該好適な実施例によると、広告者のために効率を最大化できる。既存の広告露出量保証方式によると現在のユーザと現在の広告との間の関連性を区別しなく、即ち露出量を保証しつつ広告を関連性の高いユーザに露出することがない。既存の露出量保証方式によると、露出処理量が充分である時には確率の方式で広告の配信を制御し、即ち、一定の確率で当該広告を返送し、このようなランダムな方式は現在のユーザと広告との関連性を考慮しない。既存技術と異なって、該好適な実施例によると、重み調整方式を用いて、ネットワーク処理量が充分であって、広告配信が早い時には、広告の重み調整係数αの値を減少し、広告配信が遅い時には、広告の重み調整係数αの値を増加し、これにより、ユーザによる当該広告についてのスコアが高いと、該広告が当該ユーザによって露出される可能性がたかい。しかし、広告スコアが高くないユーザであると、当該広告は露出されず、これにより、広告が自体との関連性の高いユーザは得ると共に、関連性の低いユーザは開放して、広告者の効率を最大化する目的を実現できる。
【００６２】
尚、上述した各方法実施例において、説明の便宜を図るため、一連の動作の組み合せで説明したが、本発明によると、一部のステップを他の順又は同時に実行することもできるので、このような動作の順に限定されないことは当業者は理解できることである。そして、明細書において説明した実施例は全て好適な実施例で、かかる動作や手段が本発明に必ずしも必要なものではない可能性もあることは当業者は理解できることである。
【００６３】
上述した実施形態の説明から、当業者は上記実施例の方法をソフトウェアに必要な汎用ハードウェアプラットフォームを結合した方式で実現することができ、ハードウェアによって実現することもできるが、大部分の場合に前の方法で実施することが好ましいことが分かる。これに基づいて、本発明の技術方案の本質又は既存技術に貢献のある部分をソフトウェア製品の形態で実現することができ、そのコンピューターソフトウェア製品は、端末機器（携帯電話、コンピューター、サーバ又は、ネットワーク機器等であることができる）に本発明の各実施例に記載の方法を実現させる命令を含み、記憶媒体（例えば、ＲＯＭ/ＲＡＭ、ディスク、ＣＤ）に記憶されることができる。
【００６４】
実施例２
本発明の実施例によると、上記メディアファイルの配信方法を実現するためのメディアファイルの配信装置を提供する。図５は本発明の実施例に係る選択可能なメディアファイルの配信装置を示す図で、図５に示すように、該装置は、取得手段２２と、比較手段２４と、調整手段２６と、配信手段２８とを含む。
【００６５】
取得手段２２は、メディアファイルの目標配信量と実際配信量を取得する。比較手段２４は、目標配信量と実際配信量とを比較して、比較結果を得る。調整手段２６は、比較結果に基づいて、メディアファイルの関連性パラメータを調整し、ここで、関連性パラメータはメディアファイルとメディアファイルの配信対象との間の関連性を指示する。配信手段２８は、メディアファイルを配信し、ここで、メディアファイルの配信順番は関連性パラメータに基づいて決定される。
【００６６】
尚、該実施例中の取得手段２２は本願の実施例１中のステップＳ２０２を実行することができ、該実施例中の比較手段２４は本願の実施例１中のステップＳ２０４を実行することができ、該実施例中の調整手段２６は本願の実施例１中のステップＳ２０６を実行することができ、該実施例中の配信手段２８は本願の実施例１中のステップＳ２０８を実行することができる。
【００６７】
尚、上記手段と対応するステップによって実現される実例や応用状況は同一であるが、上記実施例１に開示された内容に限定されることはない。尚、上記手段が装置の一部として図１に示すハードウェア環境で実行されることができ、ソフトウェアで実現でき、ハードウェアでも実現できる。
【００６８】
上記手段によると、既存技術においてメディアファイルを配信する際にメディアファイルの露出量を保証するためメディアファイルを関連性の低い配信対象に配信してしまう技術課題を解決し、メディアファイルの配信精度を向上させ、メディアファイルの配信効率を向上させる技術効果を実現できる。
【００６９】
取得手段２２で提供する技術案において、本発明の実施例において、メディアファイルのタイプを具体的に限定せず、メディアファイルは広告、音声ファイル、ビデオファイル等であることができる。メディアファイルは配信しようとするファイルであって、メディアファイルの目標配信量は配信対象と事前に相談した配信すべきメディアファイルの数量であって、メディアファイルの実際配信量は配信対象に実際に配信したメディアファイルの数量であって、ここで、メディアファイルの配信対象はＷｅｂユーザー、アプリユーザ等であることができ、本発明の実施例においてメディアファイルの配信対象のタイプを限定しない。
【００７０】
尚、メディアファイルの目標配信量と実際配信量を取得することは、配信開始時間から現在時間までのメディアファイルの目標配信量と実際配信量を取得することを指す。ここで、現在時間までのメディアファイルの実際配信量をカウンターで記録することができ、メディアファイルを配信するたびに、カウンターを１増やし、現在時間までのメディアファイルの実際配信量はカウンターの計数値である。尚、上記現在時間までのメディアファイルの実際配信量を取得する方式は本発明の実施例の一選択可能な実施例にすぎず、本発明の実施例において他の方式で現在時間までのメディアファイルの実際配信量を取得することもでき、ここではこれ以上の例の説明を省略する。
【００７１】
選択可能な実施例として、現在時間までのメディアファイルの目標配信量をメディアファイルの露出機会曲線に基づいて決定することができ、尚、露出機会曲線はユーザがオンラインで要求したメディアファイルの時間分布を統計した数量である。メディアファイルスケジューリングシステムはメディアファイルスケジューリング情報を提供し、メディアファイルスケジューリング情報はメディアファイルの配信開始時間、メディアファイルの配信終了時間、各時間スケールに対応するメディアファイルの配信量を含むことができる。メディアファイルの露出機会曲線に基づいて、下式で現在時間までのメディアファイルの目標配信量を算出する：
【数７】
2019503548.tif 000009
【００７２】
尚、上記現在時間までのメディアファイルの目標配信量を取得する方式は本発明の実施例の一選択可能な実施例にすぎない。本発明の実施例において他の方式で現在時間までのメディアファイルの目標配信量を取得することもでき、ここではこれ以上の例の説明を省略する。該選択可能な実施例において、メディアファイルの露出機会曲線を用いて、現在時間までのメディアファイルの目標配信量を取得し、他の取得方式に比べ、ユーザの引き出しによって取得した露出機会曲線を依拠とすることが比較的に簡単であって、且つ露出機会曲線がメディアファイルの配信プロセスを正確に反映できるので、露出機会曲線で現在時間までのメディアファイルの目標配信量を取得することが比較的に簡単であって、且つ取得した目標配信量の正確度を保証できる。
【００７３】
本発明の実施例において、メディアファイルの目標配信量と実際配信量の取得方式を具体的に限定せず、現在時間までのメディアファイルの目標配信量と実際配信量を取得できる変形方式や入れ替え方式はいずれも本発明の保護範囲に含まれる。
【００７４】
比較手段２４で提供する技術案において、取得手段２２で現在時間までのメディアファイルの目標配信量と実際配信量を取得した後、本発明の実施例において、取得した目標配信量と実際配信量とを比較し、目標配信量と実際配信量の大きさ関係を比較して、比較結果を得ることができる。尚、目標配信量と実際配信量とを比較して得た比較結果は、実際配信量が目標配信量未満であることと、実際配信量が目標配信量を超えることと、実際配信量が目標配信量に等しいこととを含むことができる。上記３種類の状況でメディアファイルの配信速度を反映することができ、具体的に、実際配信量が目標配信量未満である時、メディアファイルの配信速度が遅いことを指す。実際配信量が目標配信量を超える時、メディアファイルの配信速度が早いことを指す。実際配信量が目標配信量に等しい時、メディアファイルの配信速度が適切で、当該配信速度で該メディアファイルを配信すると、配信開始時間から配信終了時間までの時間区間内で事前に相談したメディアファイル配信すべき総量を完成できることを指す。実際配信量と目標配信量とを比較することで、比較結果に基づいてメディアファイルの配信速度を制御する目的を実現できる。
【００７５】
目標配信量と実際配信量とを比較して得た比較結果はさらに実際配信量と目標配信量との間の差異を含むこともでき、即ち、実際配信量が目標配信量未満である時は、実際配信量が目標配信量より少ない数値、実際配信量が目標配信量を超える時は、実際配信量が目標配信量を超える数値を含むこともできる。実際配信量と目標配信量との間の差異を比較することで、メディアファイルの配信速度を一層正確に調整する目的を実現できる。
【００７６】
調整手段２６で提供する技術案において、メディアファイルの目標配信量と実際配信量とを比較して得た比較結果は、メディアファイルとメディアファイルの配信対象との間の関連性に影響を与え、メディアファイルとメディアファイルの配信対象との間の関連性はメディアファイルの関連性パラメータによって直接に反映でき、メディアファイルの関連性パラメータが大きいほど、該メディアファイルと配信対象との間の関連性が高く、メディアファイルの関連性パラメータが小さいほど、該メディアファイルと配信対象との間の関連性が低いことを指す。尚、複数の異なるメディアファイルと同一の配信対象との間の関連性は異なることができ、同一のメディアファイルと異なる配信対象との間の関連性が異なることができる。メディアファイルとメディアファイルの配信対象との間の関連性がメディアファイルの配信順番に影響を与え、配信対象との関連性が高いメディアファイルの配信順番が、配信対象との関連性が低いメディアファイルの配信順番より優先度が高い。尚、同一の配信対象に同一のメディアファイルを配信することができ、配信回数は実際の応用状況に応じて設定され、また複数の異なるメディアファイルを配信し、且つこれらのメディアファイルと該配信対象との間の関連性は異なることもでき、つまり、これらのメディアファイルの関連性パラメータが異なると、対応して、これらのメディアファイルが該配信対象に配信される配信順番の優先度が異なる。
【００７７】
例えば、配信対象がユーザＡで、ユーザＡに配信するメディアファイルがそれぞれ広告１、広告２、広告３で、上記広告とユーザＡとの間の関連性の高い順が、広告１、広告２、広告３であると、対応して、ユーザＡに広告を配信する配信順番の優先度の高い順である広告１、広告２、広告３である。
【００７８】
メディアファイルの実際配信量と目標配信量との間の比較結果は、該メディアファイルと配信対象との間の関連性を反映することができる。具体的に、メディアファイルの実際配信量が目標配信量未満である時、該メディアファイルが配信対象による露出を得られると、該メディアファイルと配信対象との間の関連性が高いことを指す。メディアファイルの実際配信量が目標配信量を超える時、該メディアファイルが配信対象による露出を得られないと、該メディアファイルと配信対象との間の関連性が低いことを指す。
【００７９】
本発明の実施例において、メディアファイルの目標配信量と実際配信量の比較結果に基づいて該メディアファイルの関連性パラメータを調整することで、該メディアファイルと配信対象との間の関連性を調整して、該メディアファイルの配信順番を調整する目的を実現できる。
【００８０】
選択可能な実施例として、図６は本発明の実施例に係る他の選択可能なメディアファイルの配信装置を示す図、図６に示すように、調整手段２６は、増加手段２６１と、減少手段２６３とを含むことができる。増加手段２６１は、比較結果が実際配信量が目標配信量未満であることを指示する時、関連性パラメータの値を増加し、ここで、値を増加する前の関連性パラメータで決定される配信順番は、値を増加した後の関連性パラメータで決定される配信順番より遅い。減少手段２６３は、比較結果が実際配信量が目標配信量を超えることを指示する時、関連性パラメータの値を減少し、ここで、値を減少させる前の関連性パラメータで決定される配信順番は、値を減少させた後の関連性パラメータで決定される配信順番より早い。
【００８１】
尚、該実施例中の増加手段２６１は本願の実施例１中のステップＳ２０６１を実行することができ、該実施例中の減少手段２６３は本願の実施例１中のステップＳ２０６３を実行することができる。
【００８２】
尚、メディアファイルの目標配信量と実際配信量とを比較して得た比較結果は、実際配信量が目標配信量未満又は超える状況を含むことができ、実際配信量が目標配信量未満である（例えば、実際配信量が目標配信量より第１の所定の閾値少ない）時、本発明の実施例よると、該メディアファイルと配信対象との間の関連性を高めて、該メディアファイルの配信可能性を向上させることができ、つまり、該メディアファイルと配信対象との間の関連性が高いと、該メディアファイルを優先して配信しなければならなく、この時、本発明の実施例によると、メディアファイルの関連性パラメータの値を増加して該メディアファイルの配信順番の優先度を向上させて、該メディアファイルの関連性パラメータの値が増加された後に指示した関連性に対応する配信順番を、増加される前の関連性に対応する配信順番より早くする。実際配信量が目標配信量を超える（例えば、実際配信量が目標配信量より第２の所定の閾値多い、ここで、上記第１の所定の閾値と第２の所定の閾値はいずれも０より大きく、第１の所定の閾値と第２の所定の閾値は同じであることができれば異なることもできる）時、該メディアファイルが配信対象によって露出されないことを指し、つまり、該メディアファイルと配信対象との間の関連性が低く、該メディアファイルを後ろの順番に配置して配信しなければならなく、この時、本発明の実施例によると、メディアファイルの関連性パラメータの値を減少させることで、該メディアファイルの配信順番の優先度を低減させて、該メディアファイルの関連性パラメータの値が減少された後に指示した関連性に対応する配信順番を、減少される前の関連性に対応する配信順番より遅くする。尚、本発明の実施例において、第１の所定の閾値と第２の所定の閾値を具体的に限定せず、第１の所定の閾値と第２の所定の閾値を実際の需要に応じて設定することができる。尚、メディアファイルの実際配信量が目標配信量未満である差異と実際配信量が目標配信量を超える差異は同じであることができ、異なることもでき、ここでは具体的に限定しない。
【００８３】
本発明の実施例において、メディアファイルの実際配信量と目標配信量との間の比較結果に基づいて、該メディアファイルの関連性パラメータの値を調整することで、メディアファイルの配信順番を調整する目的を実現し、配信対象との関連性の高いメディアファイルを優先して配信し、配信対象との関連性の低いメディアファイルを後で配信して、メディアファイル露出率を向上させ、メディアファイル配信の効率を向上させる効果を実現できる。
【００８４】
配信手段２８で提供する技術案において、メディアファイルの関連性パラメータは、メディアファイルと配信対象との間の関連性を指示することができ、本発明の実施例において、好適に、配信対象との関連性の高いメディアファイルの配信順番を繰り上げ、配信対象との関連性の低いメディアファイルの配信順番を延期し、調整後の配信順番に従ってメディアファイルを配信する。尚、一つの配信対象に配信されるメディアファイルは一つであることができれば、複数であることもでき、一つの配信対象に複数のメディアファイルを配信する時、関連性パラメータ値の大きいメディアファイルを優先した配信するように、これらのメディアファイルの関連性パラメータの値の大きさに基づいてこれらのメディアファイルの配信順番を調整して、配信対象によるメディアファイルの露出率を向上させ、メディアファイル配信の効率を向上させる。
【００８５】
本発明の実施例において、メディアファイルの関連性パラメータに指示された関連性に対応する配信順番で、配信対象へメディアファイルを配信する時、配信対象のタイプに応じて、配信方式を選択することもでき、ここで、本発明の実施例において配信対象のタイプを具体的に限定せず、Ｗｅｂユーザーであることができれば、アプリユーザ等であることもできる。本発明の実施例において、配信対象へメディアファイルを配信する配信方式も具体的に限定せず、ポップウィンドウ形式でメディアファイルを自動に表示する方式であることができれば、メッセージ提示形式でユーザに配信したメディアファイルを見るように通知する方式であることもでき、アプリケーションが作動される時に配信したメディアファイルを挿入して表示する等の方式であることもでき、メディアファイルの配信方式をメディアファイルのタイプ、配信対象のタイプ、配信対象が位置する端末のタイプ等の条件に基づいて設定したり調整したりすることができ、ここではこれ以上の例の説明を省略する。
【００８６】
選択可能な実施例として、図７は本発明の実施例に係る更なる他の選択可能なメディアファイルの配信装置を示す図で、図７に示すように、調整手段２６は、第１のサブ調整手段２６２と、第２のサブ調整手段２６４とを含むことができる。第１のサブ調整手段２６２は、比較結果に基づいて、配信制御パラメータを調整して、調整後の配信制御パラメータを得て、ここで、比較結果は、配信制御パラメータの値を第１の所定の割合だけ増加又は減少させるに用いられる。第２のサブ調整手段２６４は、調整後の配信制御係数に基づいて、メディアファイルの関連性パラメータを調整し、ここで、調整後の配信制御係数は、関連性パラメータの値を第２の所定の割合だけ増加又は減少するに用いられる。
【００８７】
尚、該実施例中の第１のサブ調整手段２６２は本願の実施例１中のステップＳ２０６２を実行することができ、該実施例中の第２のサブ調整手段２６４は本願の実施例１中のステップＳ２０６４を実行することができる。
【００８８】
第１のサブ調整手段２６２で提供する技術案において、配信制御パラメータはメディアファイルの配信速度を指示することができ、ここで、配信制御パラメータの値をメディアファイルの実際配信量と目標配信量との間の比較結果に基づいて調整することができ、具体的に、メディアファイルの実際配信量が目標配信量未満である時、この時のメディアファイルの配信速度が遅いことを指し、配信制御パラメータの値を増加しなければならない。メディアファイルの実際配信量が目標配信量を超える時、この時のメディアファイルの配信速度が早いことを指し、配信制御パラメータの値を減少させる必要がある。配信制御パラメータの値を増加又は減少する程度を、メディアファイルの実際配信量と目標配信量との間の差異に基づいて決定することができ、本発明の実施例において、配信制御パラメータの値を第１の所定の割合だけ増加又は減少し、第１の所定の割合の大きさはメディアファイルの実際配信量と目標配信量との間の差異に基づいて決定することができ、例えば第１の所定の割合は０．５％であることができる。尚、配信制御パラメータの値の増加や減少の割合はいずれも第１の所定の割合と同じであることができ、異なることもでき、配信制御パラメータの値の増加や減少の割合は実際の状況に応じて具体的に設定することができ、本発明の実施例において具体的に限定しない。
【００８９】
第２のサブ調整手段２６４で提供する技術案において、本発明において、調整後の配信制御パラメータに基づいてメディアファイルの関連性パラメータを調整することができ、配信制御システムが第１の所定の割合だけ増加する時、メディアファイルの関連性パラメータの値も対応して第２の所定の割合だけ増加される。配信制御システムが第１の所定の割合だけ減少する時、メディアファイルの関連性パラメータの値も対応して第２の所定の割合だけ減少する。尚、第１の所定の割合と第２の所定の割合は同じであることができれば異なることもでき、本発明の実施例において第２の所定の割合を具体的に限定せず、実際の状況に応じて設定又は調整することができる。
【００９０】
尚、メディアファイルの実際配信量が目標配信量未満である時、メディアファイルの配信速度が遅く、該メディアファイルは配信対象によって露出される可能性があって、該メディアファイルと配信対象との間の関連性が高いことを指し、この時、配信制御パラメータの値を増加する必要があって、増加する割合は第１の所定の割合であることができ、これによりメディアファイルの関連性パラメータの値を増加し、増加した割合は第２の所定の割合であることができ、これにより、該メディアファイルが該配信対象に優先に配信されるように保証して、該メディアファイルの効率を向上させる。反対に、メディアファイルの実際配信量が目標配信量を超える時、メディアファイルの配信速度が早く、該メディアファイルが配信対象によって露出される可能性がなく、該メディアファイルと配信対象との間の関連性が低いことを指し、この時、配信制御パラメータの値を減少する必要があって、減少する割合は第１の所定の割合であることができ、これによりメディアファイルの関連性パラメータの値を減少し、減少する割合は第２の所定の割合であることができ、これいより該配信対象との関連性の低いメディアファイルの配信順番を延期し、配信順番が前にあって配信対象との関連性の高いメディアファイルを優先して配信するように保証し、該メディアファイルの効率を向上させる目的を実現できる。
【００９１】
選択可能な実施例として、メディアファイルの関連性パラメータを、下式で調整することができる：
【数８】
2019503548.tif 000010
【００９２】
尚、上記パラメータの値はいずれも本発明における一選択可能な実施例にすぎず、上記パラメータの値を状況に応じて調整することができ、ここではこれ以上の例の説明を省略する。メディアファイルの実際配信量が目標配信量未満である（例えば、実際配信量が目標配信量より１の所定の閾値少ない）時、
【数９】
2019503548.tif 000011
【００９３】
尚、上記メディアファイルの関連性パラメータの計算方式は本発明の一選択可能な実施例にすぎず、本発明の実施例において他の方式でメディアファイルの関連性パラメータを計算することもでき、ここではこれ以上の例の説明を省略する。該選択可能な実施例において、メディアファイルの関連性パラメータを計算することで、該関連性パラメータに基づいてメディアファイルの配信順番の優先度を調整して、配信対象との関連性の高いメディアファイルを優先して配信し、マルチメディアの露出量を向上させ、メディアファイルの配信の効率を向上させる効果を実現できる。
【００９４】
選択可能な実施例として、図８は本発明の実施例に係る他の選択可能なメディアファイルの配信装置を示す図で、図８に示すように、取得手段２２は所定の時間間隔でメディアファイルの目標配信量と実際配信量を取得するための第１のサブ取得手段２２２を含むことができ、比較手段２４は所定の時間間隔で目標配信量と実際配信量とを比較するための第１のサブ比較手段２４２を含むことができ、調整手段２６は所定の時間間隔で比較結果に基づいてメディアファイルの関連性パラメータを調整するための第３のサブ調整手段２６６を含むことができる。
【００９５】
尚、該実施例中の第１のサブ取得手段２２２は本願の実施例１中のステップＳ２０２２を実行することができ、該実施例中の第１のサブ比較手段２４２は本願の実施例１中のステップＳ２０４２を実行することができ、該実施例中の第３のサブ調整手段２６６は本願の実施例１中のステップＳ２０６６を実行することができる。
【００９６】
尚、該選択可能な実施例における所定の時間は実際の状況に応じて設定又は調整することができ、所定の時間は１分、３０秒等であることができ、ここでは具体的に限定しない。該選択可能な実施例のメディアファイルの配信方法によると、所定の時間間隔で上記ステップを行うことで、所定の時間間隔でメディアファイルの関連性パラメータを調整する目的を実現し、メディアファイルの関連性パラメータの正確性を向上させ、メディアファイルの配信順番を調整する精度を向上させる効果を実現できる。
【００９７】
尚、上記手段と対応するステップによって実現される実例や応用状況は同一であるが、上記実施例１に開示された内容に限定されることはない。尚、上記手段が装置の一部として図１に示すハードウェア環境で実行されることができ、ソフトウェアで実現でき、ハードウェアでも実現でき、ここで、ハードウェア環境はネットワーク環境を含む。
【００９８】
実施例３
本発明の実施例によると、上記メディアファイルの配信方法を実施するための端末を提供する。
【００９９】
図９は本発明の実施例に係る端末の構造を示すブロック図で、図９に示すように、該端末は、一つ又は複数の（図に一つのみを示す）プロセッサ２０１と、メモリ２０３と、伝送装置２０５とを含むことができ、図９に示すように、該端末は入出力デバイス２０７をさらに含むことができる。
【０１００】
ここで、メモリ２０３はソフトウェアプログラム及び手段を記憶し、例えば本発明の実施例におけるメディアファイルの配信方法や装置に対応するプログラム命令/手段を記憶し、プロセッサ２０１はメモリ２０３に記憶されたソフトウェアプログラム及び手段を実行することで、各種の機能アプリケーション及びデータ処理を実行し、即ち上述したメディアファイルの配信方法を実現する。メモリ２０３は高速ランダムメモリを含むことができ、例えば一つ又は複数の磁気記憶装置、フラッシュメモリ等の不揮発性メモリ、又は他の不揮発性固体メモリを含むこともできる。一部の実例において、メモリ２０３はさらに、プロセッサ２０１に対して遠隔設置されたメモリを含み、このような遠隔メモリはネットワークを介して端末に接続されることができる。上記ネットワークの実例として、インターネット、イントラネット、ローカルネットワーク、モバイル通信ネットワーク及びその組み合せを含むが、これらに限定されることはない。
【０１０１】
上述した伝送装置２０５はネットワークを介してデータを受送信し、プロセッサとメモリとの間のデータの伝送も行う。上述したネットワークの具体的な実例として、有線ネットワークと無線ネットワークとを含む。一実例において、伝送装置２０５は、ネットワークアダプタ（Ｎｅｔｗｏｒｋ  Ｉｎｔｅｒｆａｃｅ  Ｃｏｎｔｒｏｌｌｅｒ、ＮＩＣ）を含み、ネットワークケーブルを介して他のネットワーク機器とルーターに接続されてインターネット又はローカルネットワークとの通信を行う。一実例において、伝送装置２０５は無線周波数（Ｒａｄｉｏ  Ｆｒｅｑｕｅｎｃｙ、ＲＦ）手段であって、無線方式でインターネットとの通信を行う。
【０１０２】
ここで、具体的に、メモリ２０３はアプリケーションプログラムを記憶する。
【０１０３】
プロセッサ２０１は、伝送装置２０５を介してメモリ２０３に記憶されたアプリケーションプログラムを呼び出して、メディアファイルの目標配信量と実際配信量を取得することと、目標配信量と実際配信量とを比較して、比較結果を得ることと、比較結果に基づいて、メディアファイルとメディアファイルの配信対象との間の関連性を指示するメディアファイルの関連性パラメータを調整することと、関連性パラメータに基づいて決定される順番でメディアファイルを配信することと、を実行する。
【０１０４】
プロセッサ２０１はさらに、比較結果が実際配信量が目標配信量未満であることを指示する時、関連性パラメータの値を増加することと、ここで、値を増加する前の関連性パラメータで決定される配信順番は、値を増加した後の関連性パラメータで決定される配信順番より遅く、比較結果が実際配信量が目標配信量を超えることを指示する時、関連性パラメータの値を減少することと、をさらに実行し、ここで、値を減少させる前の関連性パラメータで決定される配信順番は、値を減少させた後の関連性パラメータで決定される配信順番より早い。
【０１０５】
プロセッサ２０１はさらに、下式でメディアファイルの関連性パラメータを調整することを実行し、
【数１０】
2019503548.tif 000012
【０１０６】
プロセッサ２０１はさらに、所定の時間間隔でメディアファイルの目標配信量と実際配信量を取得することと、所定の時間間隔で目標配信量と実際配信量とを比較することと、所定の時間間隔で、比較結果に基づいてメディアファイルの関連性パラメータを調整することと、を実行する。
【０１０７】
プロセッサ２０１はさらに、下式でメディアファイルの目標配信量を取得することを実行し、
【数１１】
2019503548.tif 000013
【０１０８】
本発明の実施例によると、メディアファイルの配信方案を提供する。メディアファイルの目標配信量と実際配信量との比較結果に基づいてメディアファイルの関連性パラメータを調整し、該関連性パラメータに指示されたメディアファイルと配信対象との間の関連性に基づいてメディアファイルを配信することで、メディアファイルの露出量を保証しつつメディアファイルを関連性の高い配信対象に配信する目的を実現し、メディアファイルの配信精度を向上させ、メディアファイルの配信効率を向上させる技術効果を実現して、既存技術においてメディアファイルを配信する際にメディアファイルの露出量を保証するためメディアファイルを関連性の低い配信対象に配信してしまう技術課題を解決できる。
【０１０９】
また、本実施例中の具体的な例としては上記実施例１と実施例２で説明した例を参照することができ、本実施例では詳細な説明を省略する。
【０１１０】
図９に示す構造は例示的なものにすぎず、端末がスマートフォン（例えば、Ａｎｄｒｏｉｄ携帯電話、ｉＯＳ携帯電話等）、タブレットＰＣ、ポケットＰＣ及びモバイルインターネット機器（Ｍｏｂｉｌｅ  Ｉｎｔｅｒｎｅｔ  Ｄｅｖｉｃｅｓ、ＭＩＤ）、ＰＡＤ等の端末機器であることができることは当業者が理解できることである。図９は上記電子装置の構造を限定するものではない。例えば、端末は図９に示す部品より多い又は少ない部品（例えば、ネットワークインタフェース、表示装置等）を含むこともでき、又は図９と異なる配置であることもできる。
【０１１１】
上記実施例の方法のステップの全部又は一部をコンピュータプログラムによって関連するハードウェアに完成するように命令する方式で実現することができ、前記プログラムはコンピュータ読取可能な記憶媒体に記憶され、本願において、該プログラムはコンピュータ読取可能な記憶媒体に記憶され、記憶媒体は、フラッシュメモリー、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、フロッピーディスク又は光ディスク等を含むことができる。
【０１１２】
実施例４
本発明の実施例においてさらに記憶媒体を提供する。本実施例において、上記記憶媒体は、メディアファイルの配信方法を実行するためのプログラムコードを記憶する。
【０１１３】
本実施例において、上記記憶媒体は上記実施例に示すネットワークにおける複数のネットワーク機器中の少なくとも一つのネットワーク機器に位置することができる。
【０１１４】
本実施例において、記憶媒体は、
Ｓ１、メディアファイルの目標配信量と実際配信量を取得することと、
Ｓ２、目標配信量と実際配信量とを比較して、比較結果を得ることと、
Ｓ３、比較結果に基づいて、メディアファイルとメディアファイルの配信対象との間の関連性を指示するメディアファイルの関連性パラメータを調整することと、
Ｓ４、関連性パラメータに基づいて決定される順番でメディアファイルを配信することと、を実行するためのプログラムコードを記憶するように構成されることができる。
【０１１５】
記憶媒体はさらに、比較結果が実際配信量が目標配信量未満であることを指示する時、関連性パラメータの値を増加することと、ここで、値を増加する前の関連性パラメータで決定される配信順番は、値を増加した後の関連性パラメータで決定される配信順番より遅く、比較結果が実際配信量が目標配信量を超えることを指示する時、関連性パラメータの値を減少することと、を実行するためのプログラムコードを記憶するように構成されることができ、ここで、値を減少させる前の関連性パラメータで決定される配信順番は、値を減少させた後の関連性パラメータで決定される配信順番より早い。
【０１１６】
記憶媒体はさらに、下式でメディアファイルの関連性パラメータを調整することを実行するためのプログラムコードを記憶するように構成されることができ、
【数１２】
2019503548.tif 000014
【０１１７】
記憶媒体はさらに、所定の時間間隔でメディアファイルの目標配信量と実際配信量を取得することと、所定の時間間隔で目標配信量と実際配信量とを比較することと、所定の時間間隔で、比較結果に基づいてメディアファイルの関連性パラメータを調整することと、を実行するためのプログラムコードを記憶するように構成されることができる。
【０１１８】
記憶媒体はさらに、下式でメディアファイルの目標配信量を取得することを実行するためのプログラムコードを記憶するように構成されることができ、
【数１３】
2019503548.tif 000015
【０１１９】
また、本実施例中の具体的な例としては上記実施例１と実施例２で説明した例を参照することができ、本実施例では詳細な説明を省略する。
【０１２０】
本実施例において、上記記憶媒体はUＳB、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、モバイルハードディスク、ディスク又はCD等のプログラムコードを記憶できる各種の媒体を含むことができるが、これに限定されることはない。
【０１２１】
上述した本発明の実施例の番号は説明の便利を図るためのもので、実施例の優劣を示すものではない。
【０１２２】
上記実施例中の集積されたユニットをソフトウェア機能ユニットの形態で実現して独立製品として販売したり使用する場合、上記コンピューター読取可能な記憶媒体に記憶することができる。従って、本発明の技術案の実質又は既存技術に対する貢献のある部分又は該技術案の全部又は一部をソフトウェア製品の形態で実現することができ、このようなコンピューターソフトウェア製品は記憶媒体に記憶され、一つ又は複数のコンピューター機器（パーソナルコンピュータ、サーバ又はネットワーク機器等であることができる）に本発明の各実施例で説明した方法の全部又は一部のステップを実行させる命令を含むことができる。
【０１２３】
本発明の上記実施例において、各実施例の説明は重要視するものがあって、ある実施例で詳しく説明していない部分については他の実施例の関連部分の説明を参照することができる。
【０１２４】
本願で提供する幾つかの実施例において、開示されたクライアントは、他の形態で実現されることもできる。ここで、以上説明した装置実施例は例示的なもので、例えば上述したユニットの区画はロジック的な機能の区画であって、実際に実現する場合、他の区画方式であることもでき、例えば複数のユニット又は部品を結合したり又は他のシステムに集積したり、又は一部の特徴を無視したり、又は実行しないこともできる。そして、表示又は検討した相互結合又は直接結合又は通信接続は、インターフェース、ユニット又は手段を介した間接的な結合又は通信接続であることができ、電気的又は他の形態であることができる。
【０１２５】
上述した分離部品として説明したユニットは物理的に分離したものであることができれば物理的に分離していないものであることもでき、ユニットとして表す部品は物理ユニットであることができれば物理ユニットではないこともでき、つまり、一つの箇所に位置することができれば、複数のユニットに分布されることもできる。実際の需要に応じて、その中の一部又は全部のユニットを選択して本実施例の技術案を実現する目的を実現することができる。
【０１２６】
そして、本発明の各実施例中の各機能ユニットを一つの処理ユニットに集積することができ、各ユニットが物理的に独立したものであることもでき、二つ又はその以上のユニットを一つのユニットに集積することもできる。上記集積されたユニットをハードウェアの形態で実現でき、ソフトウェア機能ユニットの形態で実現することもできる。
【０１２７】
以上は、本発明の好適な実施形態に過ぎず、当業者は本発明の精神を離脱せずに若干の改善や修正を行うことができ、このような改善や修正は本発明の保護範囲に含まれる。
【符号の説明】
【０１２８】
２２  取得手段
２４  比較手段
２６  調整手段
２８  配信手段
１０２  サーバ
１０４  端末
２０１  プロセッサ
２０３  メモリ
２０５  伝送装置
２０７  入出力デバイス
２２２  サブ取得手段
２４２  サブ比較手段
２６１  増加手段
２６２  サブ調整手段
２６３  減少手段
２６４  サブ調整手段
２６６  サブ調整手段
【図１】
2019503548.tif 000020
【図２】
2019503548.tif 000021
【図３】
2019503548.tif 000022
【図４】
2019503548.tif 000023
【図５】
2019503548.tif 000024
【図６】
2019503548.tif 000025
【図７】
2019503548.tif 000026
【図８】
2019503548.tif 000027
【図９】
2019503548.tif 000028
【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
メディアファイルの目標配信量と実際配信量を取得することと、
前記目標配信量と前記実際配信量とを比較して、比較結果を得ることと、
前記比較結果に基づいて、前記メディアファイルと前記メディアファイルの配信対象との間の関連性を指示する前記メディアファイルの関連性パラメータを調整することと、
前記関連性パラメータに基づいて決定される順番で前記メディアファイルを配信することと、を含むメディアファイルの配信方法。
【請求項２】
前記比較結果に基づいて、前記メディアファイルの関連性パラメータを調整することが、
前記比較結果が前記実際配信量が前記目標配信量未満であることを指示する場合、前記関連性パラメータの値の増加することを含み、ここで、前記値を増加する前の前記関連性パラメータで決定される配信順番は、前記値を増加した後の前記関連性パラメータで決定される配信順番より遅い請求項１に記載の方法。
【請求項３】
前記比較結果に基づいて、前記メディアファイルの関連性パラメータを調整することが、
前記比較結果が前記実際配信量が前記目標配信量を超えることを指示する場合、前記関連性パラメータの値を減少することを含み、ここで、前記値を減少させる前の前記関連性パラメータで決定される配信順番は、前記値を減少させた後の前記関連性パラメータで決定される配信順番より早い請求項１に記載の方法。
【請求項４】
前記比較結果に基づいて、前記メディアファイルの関連性パラメータを調整することが、
前記配信制御パラメータの値を第１の所定の割合だけ増加又は減少するための前記比較結果に基づいて、配信制御パラメータを調整して、調整後の配信制御パラメータを得ることと、
前記関連性パラメータの値を第２の所定の割合だけ増加又は減少するための前記調整後の配信制御係数に基づいて、前記メディアファイルの関連性パラメータを調整することと、含む請求項１に記載の方法。
【請求項５】
下式で前記メディアファイルの関連性パラメータを調整する請求項４に記載の方法。
【数１】
2019503548.tif 000029
【請求項６】
前記メディアファイルの目標配信量と実際配信量を取得することが、所定の時間間隔で前記メディアファイルの目標配信量と実際配信量を取得することを含み、
前記目標配信量と前記実際配信量とを比較して、比較結果を得ることが、前記所定の時間間隔で前記目標配信量と前記実際配信量とを比較することを含み、
前記比較結果に基づいて前記メディアファイルの関連性パラメータを調整することが、前記所定の時間間隔で、前記比較結果に基づいて、前記メディアファイルの関連性パラメータを調整することを含む請求項１乃至５の中のいずれかに記載の方法。
【請求項７】
下式で前記メディアファイルの目標配信量を取得する請求項１乃至５の中のいずれかに記載の方法。
【数２】
2019503548.tif 000030
【請求項８】
メディアファイルの目標配信量と実際配信量を取得するように構成された取得手段と、
前記目標配信量と前記実際配信量とを比較して、比較結果を得るように構成された比較手段と、
記比較結果に基づいて、前記メディアファイルと前記メディアファイルの配信対象との間の関連性を指示する前記メディアファイルの関連性パラメータを調整するように構成された調整手段と、
前記関連性パラメータに基づいて決定される順番で前記メディアファイルを配信するように構成される配信手段と、を含むメディアファイルの配信装置。
【請求項９】
前記調整手段が、
前記比較結果が前記実際配信量が前記目標配信量未満であることを指示する時、前記関連性パラメータの値を増加するように構成された増加手段を含み、ここで、前記値を増加する前の前記関連性パラメータで決定される配信順番は、前記値を増加した後の前記関連性パラメータで決定される配信順番より遅い請求項８に記載の装置。
【請求項１０】
前記調整手段が、
前記比較結果が前記実際配信量が前記目標配信量を超えることを指示する時、前記関連性パラメータの値を減少するように構成された減少手段を含み、ここで、前記値を減少させる前の前記関連性パラメータで決定される配信順番は、前記値を減少させた後の前記関連性パラメータで決定される配信順番より早い請求項８に記載の装置。
【請求項１１】
前記調整手段が、
前記配信制御パラメータの値を第１の所定の割合だけ増加又は減少するための前記比較結果に基づいて、配信制御パラメータを調整して、調整後の配信制御パラメータを得るように構成された第１のサブ調整手段と、
前記関連性パラメータの値を第２の所定の割合だけ増加又は減少するための前記調整後の配信制御係数に基づいて、前記メディアファイルの関連性パラメータを調整するように構成された第２のサブ調整手段と、を含む請求項８に記載の装置。
【請求項１２】
下式で前記メディアファイルの関連性パラメータを調整する請求項１１に記載の装置。
【数３】
2019503548.tif 000031
【請求項１３】
前記取得手段が、所定の時間間隔で前記メディアファイルの目標配信量と実際配信量を取得するように構成された第１のサブ取得手段を含み、
前記比較手段が、前記所定の時間間隔で前記目標配信量と前記実際配信量とを比較するように構成された第１のサブ比較手段を含み、
前記調整手段が、前記所定の時間間隔で、前記比較結果に基づいて前記メディアファイルの関連性パラメータを調整するように構成された第３のサブ調整手段を含む請求項８乃至１２中のいずれかに記載の装置。
【請求項１４】
下式で前記メディアファイルの目標配信量を取得する請求項８乃至１２の中のいずれかに記載の装置。
【数４】
2019503548.tif 000032
【請求項１５】
請求項１乃至７中のいずれかに記載の方法を実行するためのプログラムコードを記憶するように設置される記憶媒体。
【国際調査報告】
2019503548.tif 000033
2019503548.tif 000034
2019503548.tif 000035
2019503548.tif 000036